(57)【要約】【課題】各種電子機器に使用される開閉装置及びその装着方法に関し、構成部品数が少なく安価で、機器への装着が容易なものを提供することを目的とする。【解決手段】外周に凸状の壁部２１Ａが形成され、固定体１や可動体３を収納した可動ケース２１端部に、保持体２３を回転可能に装着して開閉装置２５を構成すると共に、可動筐体１３へ可動ケース２１を挿入した後、開閉装置２５に設けられた保持体２３を回転して、可動筐体１３に可動ケース２１を固着することによって、構成部品数が少なく安価で、機器への装着が容易な開閉装置及びその装着方法を得ることができる。【選択図】図１
2005201317.tif 000002
【特許請求の範囲】
【請求項１】
側面に固定カムが設けられた固定体と、この固定体に対し回転可能に配置されると共に、上記固定カムとの対向面に可動カムが設けられた可動体と、これら固定体や可動体を収納すると共に、外周に凸状の壁部または凹状の溝部が形成された略円筒状の可動ケースからなり、この可動ケース端部に保持体を回転可能に装着した開閉装置。
【請求項２】
保持体に外方へ延出する突出部を設けると共に、保持体の回転によって上記突出部を可動ケース外周または溝部から突出させた請求項１記載の開閉装置。
【請求項３】
可動ケース端部及び保持体に、各々凹凸状の係止部を設けた請求項１記載の開閉装置。
【請求項４】
可動筐体へ可動ケースを挿入した後、保持体を回転して可動筐体に可動ケースを固着する請求項１記載の開閉装置の装着方法。
【発明の詳細な説明】
【技術分野】
【０００１】
本発明は、携帯電話やパーソナルコンピュータ等の、各種電子機器に使用される開閉装置及びその装着方法に関するものである。
【背景技術】
【０００２】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、より安価で機器への装着の容易なものが求められている。
【０００３】
このような従来の開閉装置及びその装着方法について、図３及び図７〜図９を用いて説明する。
【０００４】
なお、これらの図面の内、断面図は固定カムと可動カムの関係を判り易くするため、径方向を拡大して表わしている。
【０００５】
図７は従来の開閉装置の断面図、図８は同分解斜視図であり、同図において、１は略円筒状で金属製の固定体で、この右側面外周には突出部２Ａ、及びこの突出部２Ａから上下へ延出する二つの傾斜部２Ｂ，２Ｃから形成された固定カム２が設けられている。
【０００６】
そして、３は同じく略円筒状で金属製の可動体で、固定体１に対し開閉方向へ回転可能に配置されると共に、固定カム２との対向面である左側面外周には可動カム４が設けられている。
【０００７】
また、５は略円筒状で焼結合金製の可動ケースで、外周には外方へ突出する凸状の壁部５Ａが設けられると共に、内周には可動体３外周の突起３Ａが挿入され、可動体３を軸線方向へ移動可能に保持するガイド溝５Ｂが設けられている。
【０００８】
さらに、６は可動体３右側面と可動ケース５右底面との間にやや撓んだ状態で装着されたコイル状のばねで、このばね６によって可動体３が左方向へ付勢され、可動カム４の先端が固定カム２の傾斜部２Ｂへ弾接している。
【０００９】
また、７は略円柱状の固定軸、８は略円筒状の固定ケースで、この固定軸７の左端部に固定ケース８と固定体１が固着されると共に、固定軸７右端部は可動体３の中空部やばね６を挿通し、止め輪９によって可動ケース５右側面に回転可能に装着されている。
【００１０】
そして、固定軸７によって可動ケース５左側面に、外周に凸状の壁部８Ａが設けられた固定ケース８が回転可能に装着されると共に、固定体１や可動体３、ばね６等が可動ケース５内に収納されて、開閉装置１０が構成されている。
【００１１】
また、このように構成された開閉装置１０は、例えば、図３の携帯電話の斜視図に示すように、固定ケース８が上面に複数のキーからなる操作部１２Ａやマイクロフォン等の音声入力部１２Ｂが形成された固定筐体１２へ、可動ケース５が、表面にＬＣＤ等の表示部１３Ａやスピーカ等の音声出力部１３Ｂが形成された可動筐体１３へ各々固着され、開閉装置１０によって固定筐体１２に対して可動筐体１３が開閉可能に軸支されて電子機器が構成される。
【００１２】
なお、このような開閉装置１０の装着方法としては、図９の断面図に示すように、固定筐体１２と可動筐体１３の挿通孔内に固定ケース８と可動ケース５を、凸状の壁部５Ａと８Ａによって各々回転しないように挿入した後、固定筐体１２の左側面にキャップ１４を装着し、開閉装置１０が軸線方向に外れないように固着して組立が行われる。
【００１３】
以上の構成において、図７に示したように、可動カム４の先端が固定カム２下側の傾斜部２Ｂへ弾接した状態では、可動体３はばね６によって下方向の閉方向へ付勢されているため、可動ケース５が固着された可動筐体１３は、固定筐体１２に対して閉じた状態で保持されている。
【００１４】
そして、この閉状態から、可動筐体１３を手で開くと、可動筐体１３に固着された可動ケース５を介して、突起３Ａがガイド溝５Ｂに挿入された可動体３が、可動ケース５内を右方向へ移動すると共に、上方向へ回転して、可動カム４先端が固定カム２の突出部２Ａを超えて上側の傾斜部２Ｃへ弾接し、可動体３が上方向の開方向へ付勢されるため、可動筐体１３が開いた状態となる。
【００１５】
つまり、可動筐体１３に固着された可動ケース５を回転させることによって、可動体３を軸線方向へ移動させ、可動カム４先端を固定カム２の傾斜部２Ｂまたは２Ｃのいずれかへ弾接させて、固定筐体１２に対する可動筐体１３の開閉操作が行われるように構成されている。
【００１６】
なお、この出願の発明に関連する先行技術文献情報としては、例えば、特許文献１が知られている。
【特許文献１】特開２００２−８９５４２号公報
【発明の開示】
【発明が解決しようとする課題】
【００１７】
しかしながら、上記従来の開閉装置においては、開閉装置１０を電子機器の固定筐体１２や可動筐体１３へ挿入した後、キャップ１４を用いて装着を行っているため、構成部品数が多く、機器への装着にも手間を要するという課題があった。
【００１８】
本発明は、このような従来の課題を解決するものであり、構成部品数が少なく、機器への装着も容易な開閉装置、及びその装着方法を提供することを目的とする。
【課題を解決するための手段】
【００１９】
上記目的を達成するために本発明は、以下の構成を有するものである。
【００２０】
本発明の請求項１に記載の発明は、外周に凸状の壁部または凹状の溝部が形成され、固定体や可動体を収納した可動ケース端部に、保持体を回転可能に装着して開閉装置を構成したものであり、開閉装置を電子機器の固定筐体や可動筐体へ挿入した後、開閉装置に設けられた保持体を回転することによって、機器への装着を行うことができるため、構成部品数が少なく安価で、機器への装着が容易な開閉装置を得ることができるという作用を有する。
【００２１】
請求項２に記載の発明は、請求項１記載の発明において、保持体に外方へ延出する突出部を設けると共に、保持体の回転によって突出部を可動ケース外周または溝部から突出させたものであり、突出した舌片状の突出部が可動筐体へ弾接し、この弾性力によって可動ケースを可動筐体へ保持固着できるため、機器への装着を確実に行うことができるという作用を有する。
【００２２】
請求項３に記載の発明は、請求項１記載の発明において、可動ケース端部及び保持体に、各々凹凸状の係止部を設けたものであり、保持体の回転前または回転後に、これらの係止部の係合によって保持体を所定角度に保持できるため、機器への装着前後の保持体の位置ズレを防ぎ、容易で確実な装着を行うことができるという作用を有する。
【００２３】
請求項４に記載の発明は、可動筐体へ可動ケースを挿入した後、保持体を回転し可動筐体に可動ケースを固着して請求項１記載の開閉装置を装着するものであり、構成部品数が少なく安価で、機器への装着も容易な開閉装置の装着方法を実現することができるという作用を有する。
【発明の効果】
【００２４】
以上のように本発明によれば、構成部品数が少なく安価で、機器への装着も容易な開閉装置、及びその装着方法を実現することができるという有利な効果が得られる。
【発明を実施するための最良の形態】
【００２５】
以下、本発明の実施の形態について、図１〜図６を用いて説明する。
【００２６】
なお、これらの図面の内、断面図は固定カムと可動カムの関係を判り易くするため、径方向を拡大して表わしている。
【００２７】
また、背景技術の項で説明した構成と同一構成の部分には同一符号を付して、詳細な説明を簡略化する。
【００２８】
（実施の形態）
図１は本発明の一実施の形態による開閉装置の断面図、図２は同分解斜視図であり、同図において、１は略円筒状で鋼や銅合金等の固定体で、この右側面外周には突出部２Ａ、及びこの突出部２Ａから上下へ延出する二つの傾斜部２Ｂ，２Ｃから形成された固定カム２が設けられている。
【００２９】
そして、３は同じく略円筒状で金属製の可動体で、固定体１に対し開閉方向へ回転可能に配置されると共に、固定カム２との対向面である左側面外周には可動カム４が設けられている。
【００３０】
また、２１は略円筒状で焼結合金製の可動ケースで、外周には外方へ突出する凸状の壁部２１Ａが設けられると共に、内周には可動体３外周の突起３Ａが挿入され、可動体３を軸線方向へ移動可能に保持するガイド溝２１Ｂが設けられている。
【００３１】
さらに、６は可動体３右側面と可動ケース２１右底面との間にやや撓んだ状態で装着されたコイル状のばねで、このばね６によって可動体３が左方向へ付勢され、可動カム４の先端が固定カム２の傾斜部２Ｂへ弾接している。
【００３２】
また、２２は略円柱状の固定軸、８は略円筒状の固定ケースで、この固定軸２２の左端部に固定ケース８と固定体１が固着されると共に、固定軸２２右端部は可動体３の中空部やばね６を挿通し、止め輪９によって可動ケース２１右側面に回転可能に装着されている。
【００３３】
そして、２３は略リング状で鋼や銅合金等の弾性金属薄板製の保持体で、外方へ延出する舌片状の突出部２３Ａが設けられ、この突出部２３Ａが軸線方向へやや撓んだ状態で可動ケース２１の壁部２１Ａ端部に弾接して、可動ケース２１右側面と止め輪９の間に回転可能に装着されている。
【００３４】
また、保持体２３の突出部２３Ａの根元及びこれと略直交方向の箇所には、凹状で複数の係止部２３Ｂが設けられ、この係止部２３Ｂが可動ケース２１右側面に形成された凸状の係止部２１Ｃに係合している。
【００３５】
さらに、固定軸２２によって可動ケース２１左側面に、外周に凸状の壁部８Ａが設けられた固定ケース８が回転可能に装着されると共に、固定体１や可動体３、ばね６等が可動ケース２１内に収納されて、開閉装置２５が構成されている。
【００３６】
また、このように構成された開閉装置２５は、例えば、図３の携帯電話の斜視図に示すように、固定ケース８が上面に複数のキーからなる操作部１２Ａやマイクロフォン等の音声入力部１２Ｂが形成された固定筐体１２へ、可動ケース２１が、表面にＬＣＤ等の表示部１３Ａやスピーカ等の音声出力部１３Ｂが形成された可動筐体１３へ各々固着され、開閉装置２５によって固定筐体１２に対して可動筐体１３が開閉可能に軸支されて電子機器が構成される。
【００３７】
以下、このような開閉装置２５の電子機器への装着方法について説明すると、先ず、図４の断面図に示すように、固定筐体１２と可動筐体１３の挿通孔内に固定ケース８と可動ケース２１を、凸状の壁部２１Ａと８Ａによって各々回転しないように挿入する。
【００３８】
なお、この機器への装着時には、図５（ａ）の側面断面図に示すように、保持体２３の外方上下へ延出した舌片状の突出部２３Ａが、可動ケース２１上下の壁部２１Ａ端部に弾接すると共に、突出部２３Ａと略直交方向の箇所に設けられた凹状の係止部２３Ｂは、可動ケース２１端部の左右に形成された凸状の係止部２１Ｃに係合し、この状態で保持体２３が可動ケース２１に保持されている。
【００３９】
そして、この後、例えば保持体２３を右方向へ約９０度回転すると、図４及び図５（ｂ）に示すように、突出部２３Ａが回転し、壁部２１Ａから離れて可動ケース２１外周から突出し、可動筐体１３の右側面端部に弾接するため、固定筐体１２の装着溝１２Ｃに固定ケース８の壁部８Ａ右端が係止された開閉装置２５が右方向へ付勢されて、可動筐体１３に可動ケース２１が保持固着される。
【００４０】
また、同時に、突出部２３Ａと略直交方向の箇所の係止部２３Ｂは可動ケース２１端部左右の係止部２１Ｃから外れ、突出部２３Ａ根元の係止部２３Ｂが係止部２１Ｃに係合して、この状態で保持体２３が可動ケース２１に保持される。
【００４１】
つまり、可動ケース２１端部に保持体２３を回転可能に装着して開閉装置２５を構成すると共に、可動筐体１３へ可動ケース２１を挿入した後、保持体２３を回転し、可動ケース２１外周から突出した突出部２３Ａを可動筐体１３の右側面端部に弾接させることによって、可動筐体１３への開閉装置２５の保持固着が行われるように構成されている。
【００４２】
また、この時、可動筐体１３への装着前には、突出部２３Ａと略直交方向の係止部２３Ｂが可動ケース２１端部左右の係止部２１Ｃに係合して、舌片状の突出部２３Ａが可動ケース２１上下の壁部２１Ａ端部に弾接した状態を保持し、保持体２３を回転して可動筐体１３へ装着した後は、突出部２３Ａ根元の係止部２３Ｂが係止部２１Ｃに係合して、突出部２３Ａが可動ケース２１外周から突出し可動筐体１３の右側面端部に弾接した状態を保持する。
【００４３】
以上の構成において、図１に示したように、可動カム４の先端が固定カム２下側の傾斜部２Ｂへ弾接した状態では、可動体３がばね６によって下方向の閉方向へ付勢されているため、可動ケース２１が固着された可動筐体１３は、固定筐体１２に対して閉じた状態で保持されている。
【００４４】
そして、この閉状態から、可動筐体１３を手で開くと、可動筐体１３に固着された可動ケース２１を介して、突起３Ａをガイド溝２１Ｂに挿入された可動体３が、可動ケース２１内を右方向へ移動すると共に、上方向へ回転して、可動カム４先端が固定カム２の突出部２Ａを超えて上側の傾斜部２Ｃへ弾接し、可動体３が上方向の開方向へ付勢されるため、可動筐体１３が開いた状態となる。
【００４５】
つまり、可動筐体１３に固着された可動ケース２１を回転させることによって、可動体３を軸線方向へ移動させ、可動カム４先端を固定カム２の傾斜部２Ｂまたは２Ｃのいずれかへ弾接させて、固定筐体１２に対する可動筐体１３の開閉操作が行われるように構成されている。
【００４６】
このように本実施の形態によれば、外周に凸状の壁部２１Ａが形成され、固定体１や可動体３を収納した可動ケース２１端部に、保持体２３を回転可能に装着して開閉装置２５を構成すると共に、可動筐体１３へ可動ケース２１を挿入した後、開閉装置２５に設けられた保持体２３を回転して、可動筐体１３に可動ケース２１を固着することによって、構成部品数が少なく安価で、機器への装着が容易な開閉装置及びその装着方法を得ることができるものである。
【００４７】
そして、この保持体２３に外方へ延出する突出部２３Ａを設けると共に、保持体２５の回転により突出部２３Ａを可動ケース２１外周から突出させることによって、突出した舌片状の突出部２３Ａが可動筐体１３の右側面端部へ弾接し、この弾接力によって可動ケース２１を可動筐体１３へ保持固着できるため、機器への装着を確実に行うことができる。
【００４８】
さらに、保持体２３及び可動ケース２１端部に、各々凹凸状の係止部２３Ｂ，２１Ｃを設けることによって、保持体２３の回転前または回転後に、これらの係止部２３Ｂと２１Ｃの係合により保持体２１を所定角度に保持できるため、装着前後の保持体２１の位置ズレを防ぎ、機器への容易で確実な装着を行うことができる。
【００４９】
なお、以上の説明では、保持体２３の外方へ延出する突出部２３Ａを、可動ケース２１外周の凸状の壁部２１Ａ端部に弾接させ、保持体２３の回転によって突出部２３Ａを可動ケース２１外周から突出させる構成として説明したが、図６の分解斜視図に示すように、可動ケース２６に凹状の溝部２６Ａを形成すると共に、保持体２７の回転によって突出部２７Ａを溝部２６Ａから突出させて、可動ケース２６を可動筐体１３へ保持固着する構成としても、本発明の実施は可能である。
【００５０】
また、固定軸２２右端部を可動ケース２１右側面に装着する止め輪９を、鋼や銅合金等の弾性金属薄板製とし、保持体２３や２７と一体に形成すれば、構成部品数をさらに減らし、開閉装置をより安価に構成することができる。
【産業上の利用可能性】
【００５１】
本発明による開閉装置及びその装着方法は、構成部品数が少なく安価で、機器への装着が容易なものを得ることができ、各種電子機器用として有用である。
【図面の簡単な説明】
【００５２】
【図１】本発明の一実施の形態による開閉装置の断面図
【図２】同分解斜視図
【図３】同携帯電話の斜視図
【図４】同断面図
【図５】同側面断面図
【図６】同分解斜視図
【図７】従来の開閉装置の断面図
【図８】同分解斜視図
【図９】同断面図
【符号の説明】
【００５３】
１  固定体
２  固定カム
２Ａ  突出部
２Ｂ，２Ｃ  傾斜部
３  可動体
３Ａ  突起
４  可動カム
６  ばね
８  固定ケース
８Ａ  壁部
９  止め輪
１２  固定筐体
１２Ａ  操作部
１２Ｂ  音声入力部
１２Ｃ  装着溝
１３  可動筐体
１３Ａ  表示部
１３Ｂ  音声出力部
２１，２６  可動ケース
２１Ａ  壁部
２１Ｂ  ガイド溝
２１Ｃ  係止部
２２  固定軸
２３，２７  保持体
２３Ａ，２７Ａ  突出部
２３Ｂ  係止部
２５  開閉装置
２６Ａ  溝部
【図１】
2005201317.tif 000003
【図２】
2005201317.tif 000004
【図３】
2005201317.tif 000005
【図４】
2005201317.tif 000006
【図５】
2005201317.tif 000007
【図６】
2005201317.tif 000008
【図７】
2005201317.tif 000009
【図８】
2005201317.tif 000010
【図９】
2005201317.tif 000011